(57)【要約】      （修正有）【課題】複数の鍼灸針を収納可能で、その一部のみを使用する場合は、個別に開封でき、全部使用する場合は、まとめて一度に開封できる鍼灸針の包装容器を提供する。【解決手段】容器本体１０は、平面上に複数の鍼灸針１を個別に収納する複数の収納溝１１を平行に並べて凹設し、収納溝１１と収納溝１１との間の境界部分１２を外枠部分１３と面一にして残してなる。容器本体１０の複数の収納溝１１にそれぞれ鍼灸針１を収納した状態で、容器本体１０の平面上にシート部材を剥離可能に貼付ける（シール部ＳＬ）。シート部材には、その一端部から中間部まで、境界部分１２の中央ラインに沿って、切込み２１を形成する。【選択図】  図１
2008023117.tif 000002
【特許請求の範囲】
【請求項１】
平面上に複数の鍼灸針を個別に収納する複数の収納溝を平行に並べて凹設し、収納溝と収納溝との間の境界部分を外枠部分と面一にして残してなる容器本体と、
前記容器本体の複数の収納溝にそれぞれ鍼灸針を収納した状態で、前記容器本体の前記外枠部分及び前記境界部分に剥離可能に貼付けられて、前記容器本体の複数の収納溝の開口部を覆う単一のシート部材と、から構成され、
前記シート部材の、前記収納溝に沿う前記境界部分の延在方向で見て、いずれか一方の端部から、中間部まで、前記境界部分の中央ラインに沿って、切込みを形成したことを特徴とする鍼灸針の包装容器。
【請求項２】
前記各収納溝の一端側と他端側とで溝の幅を異ならせて、前記境界部分の幅を一端側と他端側とで異ならせ、前記切込みは、前記境界部分の幅が広い側に形成したことを特徴とする請求項１記載の鍼灸針の包装容器。
【請求項３】
前記シート部材の、前記収納溝の延在方向で見て、両端部に、前記外枠部分に貼付けられていない遊び部を設けたことを特徴とする請求項１又は請求項２記載の鍼灸針の包装容器。
【請求項４】
前記シート材は、滅菌ガス透過性を有していることを特徴とする請求項１〜請求項３のいずれか１つに記載の鍼灸針の包装容器。
【請求項５】
前記切込みは、前記シート部材と前記容器本体との両方に形成することを特徴とする請求項１〜請求項４のいずれか１つに記載の鍼灸針の包装容器。
【発明の詳細な説明】
【技術分野】
【０００１】
本発明は、鍼治療に使用される鍼灸針の包装容器（収納容器）に関する。
【背景技術】
【０００２】
鍼治療に使用される鍼灸針は、安全のため、１本ずつ、個包装して提供されており、１本ずつ開封して、使用するのが前提である。
この場合、１本ずつ使用する施術者には良いが、１度に多数を使用する施術者には、個包装を１つずつ開封することが手間であった。
そこで、特許文献１に記載されているように、個包装ではなく、１つの容器に多数の針（例えば１０本）を収納する包装形態もある。
【特許文献１】実開平０６−０３１７４０号公報
【発明の開示】
【発明が解決しようとする課題】
【０００３】
しかしながら、例えば１０本入りの包装で、その一部のみを使用する場合は、残りの針を滅菌状態で保存することができず、不衛生であるという問題点があった。
本発明は、このような実状に鑑み、複数の鍼灸針を収納可能で、その一部のみを使用する場合は、個別に開封することができ、全部を使用する場合は、まとめて一度に開封することができる鍼灸針の包装容器（収納容器）を提供することを目的とする。
【課題を解決するための手段】
【０００４】
このため、本発明に係る鍼灸針の包装容器は、平面上に複数の鍼灸針を個別に収納する複数の収納溝を平行に並べて凹設し、収納溝と収納溝との間の境界部分を外枠部分と面一にして残してなる容器本体と、前記容器本体の複数の収納溝にそれぞれ鍼灸針を収納した状態で、前記容器本体の前記外枠部分及び前記境界部分に剥離可能に貼付けられて、前記容器本体の複数の収納溝の開口部を覆う単一のシート部材と、から構成する。
【０００５】
そして、前記シート部材の、前記収納溝に沿う前記境界部分の延在方向で見て、いずれか一方の端部から、中間部まで、前記境界部分の中央ラインに沿って、切込みを形成したことを特徴とする。
【発明の効果】
【０００６】
本発明によれば、複数の鍼灸針のうち、一部のみを使用する場合は、シート部材の一方の端部の側（切込みのある側）から、中間部まで、切込みによって分割されている分割片を１つずつ剥がせば、１本ずつ開封でき、必要な本数の針を取出すことができ、残りは包装状態を維持できる。
全部を使用する場合は、シート部材の他方の端部の側（切込みのない側）から、シート部材をまとめて剥がせば、まとめて開封でき、手間いらずとなる。
【発明を実施するための最良の形態】
【０００７】
以下に本発明の実施の形態を図面に基づいて説明する。
図１は本発明の一実施形態を示す包装容器（容器本体）の平面図、図２は図１のＡ−Ａ断面図、図３は図１のＢ−Ｂ断面図、図４は鍼灸針の拡大図、図５は包装容器の密閉状態での斜視図である。
鍼灸針１は、図４に示されているように、先端部に針先部を有する金属製の針体２と、その基端部に一体成形された樹脂製の針柄３とからなり、これを円筒状の針管４に挿入している。
【０００８】
この針管４付きの鍼灸針１を複数本（例えば４本）まとめて収納するために、本発明に係る包装容器（収納容器）が用いられる。
本発明に係る包装容器は、容器本体（ボトム材）１０と、シート部材（トップ材）２０とから構成される。
容器本体１０は、樹脂製で、矩形の平面上に、複数の鍼灸針１（針管４付きの鍼灸針１）を個別に収納する複数の収納溝１１を平行に並べて凹設し、収納溝１１と収納溝１１との間の境界部分１２を、外枠部分１３と面一にして残している。
【０００９】
また、収納溝１１の一端側と他端側とで溝の幅を異ならせ、一端側（図１で右側）の幅を狭くし、他端側（図１で左側）の幅を広くしている。これにより、収納溝１１と収納溝１１との間の境界部分１２の幅は、逆に、一端側（図１で右側）で広くし（幅広部１２ａ）、他端側（図１で左側）で狭くしている（幅狭部１２ｂ）。
かかる容器本体１０の複数の収納溝１１にそれぞれ鍼灸針１（針管４付きの鍼灸針１）を収納した後、容器本体１０の開口部をシート部材２０でシールする。
【００１０】
シート部材２０は、容器本体１０の平面部とほぼ同じ大きさの、１枚の矩形の紙材で、滅菌ガス透過性を有しており、容器本体１０の外枠部分１３及び境界部分１２に剥離可能に貼付けられて、容器本体１０の収納溝１１の開口部を覆うようになっている。
この貼付けは、熱溶着（ヒートシール）により行うようにしており、図１のハッチング部分ＳＬが貼付け部（シール部）である。
【００１１】
ここにおいて、シート部材２０の、前記収納溝１１に沿う前記境界部分１２の延在方向で見て、一方の端部、特に、境界部分１２の幅が広い側の端部から、中間部までの範囲に、境界部分１２（幅広部１２ａ）の中央ラインに沿って、切込み２１を形成してある。切込み２１は、４本収納の場合、３本となる。
尚、本実施形態では、シート部材２０だけでなく、シート部材２０と容器本体１０との両方に、切込み２１を形成してある。
【００１２】
また、図１のハッチング部分（シール部）ＳＬの外側にハッチング無し部分ＮＳがあって、これが未シール部となっていることからわかるように、シート部材２０の、前記収納溝１１の延在方向で見て、両端部に、前記外枠部分１３に貼付けられていない遊び部２２ａ、２２ｂを設けて、シート部材２０を剥離させる際に指でつまむのを容易にしている。この場合、シート部材２０（その少なくとも一部）を容器本体１０の平面部より大きくして、外枠部分１３よりはみ出している部分をつまむようにしてもよい。
【００１３】
容器本体１０に鍼灸針１を収納し、シート部材２０を貼付けて密閉した後、この状態で滅菌ガスにさらすことにより、滅菌処理を行って、ユーザーに提供する。
ユーザーが鍼灸針を鍼治療のために使用する際は、複数の鍼灸針１のうち、一部を使用する場合と、全部を使用する場合とで、異なる方向から、シート部材２０を剥がす。
〔一部を使用する場合〕
一部を使用する場合は、図６に示すように、シート部材２０の切込み２１のある側（右側）の端部から、切込み２１によって分割されている分割片の１つをつまんで、中間部まで（切込み２１の奥部まで）、シート部材２０を剥がす。このようにして、切込み２１によって分割されている分割片を１つずつ剥がせば、１本ずつ開封でき、必要な本数の針を取出すことができ、残りは包装状態（無菌状態）を維持できる。
〔全部を使用する場合〕
全部を使用する場合は、図７に示すように、シート部材２０の切込み２１のある側とは反対側（左側）から、シート部材２０を剥がす。これにより一度に剥がすことができ、手間いらずとなる。この場合、剥がす側である切込み２１のない境界部分１２は、幅狭部１２ｂとなっているので、比較的容易に剥がすことができる。尚、図７では中間部まで剥がした状態を示しているが、中間部で止める必要はなく、全部剥がしてもよい。
【００１４】
本実施形態によれば、各収納溝１１の一端側と他端側とで溝の幅を異ならせて、境界部分１２の幅を一端側と他端側とで異ならせ（幅広部１２ａ、幅狭部１２ｂ）、切込み２１は、境界部分１２の幅が広い側（幅広部１２ａ）に形成したことにより、シール部材２０を全部剥がす際は、境界部分１２の幅が狭い側（幅狭部１２ｂ）から剥がすことになるので、剥離面積の増大を抑えて、剥離を比較的容易にできる。その一方、幅広部１２ａに切込み２１を形成するので、切込み２１の片側を剥がしても、残り側のシール面積を確保して、残りの包装状態の維持が確実となる。
【００１５】
また、本実施形態によれば、シート部材２０の、収納溝１１の延在方向で見て、両端部に、外枠部分１３に貼付けられていない遊び部２２ａ、２２ｂ（未シール部ＮＳ）を設けたことにより、剥離の際につまむ部分を確保でき、剥離が容易となる。
また、本実施形態によれば、シート材２０は、滅菌ガス透過性を有しているので、密閉（シール）後のガス滅菌が可能となる。但し、他の滅菌処理を行うのであれば、シート部材として、樹脂フィルムなどを用いることも可能である。
【００１６】
また、本実施形態によれば、切込み２１は、シート部材２０と容器本体１０との両方に形成してあるので、図６に示したように、１個ずつ針を取出す際に、分割されている容器本体１０側をシート部材２０と反対側に撓ませることができて、取出しを容易にすることができる。但し、シート部材２０にのみ切込み２１を形成するようにしてもよいことは言うまでもない。
【図面の簡単な説明】
【００１７】
【図１】本発明の一実施形態を示す包装容器（本体）の平面図
【図２】図１のＡ−Ａ断面図
【図３】図１のＢ−Ｂ断面図
【図４】針管付き鍼灸針の拡大図
【図５】包装容器の密閉状態での斜視図
【図６】一部を使用する場合の開封方法を説明する斜視図
【図７】全部を使用する場合の開封方法を説明する斜視図
【符号の説明】
【００１８】
１  鍼灸針
２  針体
３  針柄
４  針管
１０  容器本体（ボトム材）
１１  収納溝
１２  境界部分
１３  外枠部分
２０  シート部材（トップ材）
２１  切込み
２２ａ、２２ｂ  遊び部
ＳＬ  シール部
ＮＳ  未シール部
【図１】
2008023117.tif 000003
【図２】
2008023117.tif 000004
【図３】
2008023117.tif 000005
【図４】
2008023117.tif 000006
【図５】
2008023117.tif 000007
【図６】
2008023117.tif 000008
【図７】
2008023117.tif 000009